【手続補正書】
【提出日】平成16年5月11日(2004.5.11)
【手続補正１】
【補正対象書類名】明細書
【補正対象項目名】全文
【補正方法】変更
【補正の内容】
【書類名】        明細書
【発明の名称】    遊技機用ユニット島
【特許請求の範囲】
【請求項１】  複数のパチスロ遊技機を遊技機設置空部に並べて取り付ける島本体と、これらのパチスロ遊技機にコインを供給するコイン循環機構とを一体に備えた遊技機用ユニット島であって、
前記コイン循環機構は、
パチスロ遊技機に補給するコインを貯留するコイン貯留タンクと、
該コイン貯留タンクから供給されたコインを揚送するコイン揚送装置と、
該コイン揚送装置により揚送されるコインを前記島本体の上部に案内する揚送レールと、
該揚送レールの上端部からパチスロ遊技機の並び方向に沿って下り傾斜した状態で前記島本体の上部に架設され、パチスロ遊技機に対応してコイン導入ゲートを設けた搬送レールと、
該搬送レールの傾斜下端から下方に向けて設けられ、コインをオーバーフローさせるオーバーフロー流路と、
該オーバーフロー流路からのコインを受け入れて貯留するサブコイン貯留部と、
該サブコイン貯留部から補給流路を介して前記コイン貯留タンクにコインを補給する補給ホッパーと、
から構成し、
前記島本体には、外部に引き出してコインを投入するためのコイン投入部傾斜流路部材を設け、
前記コイン貯留タンクは、
前記コイン揚送装置の貯留部に連通するコイン出口に向かって下り傾斜する案内傾斜流路と、
該案内傾斜流路の傾斜上端に傾斜下端を接続させて、パチスロ遊技機からオーバーフローしたコインを案内傾斜流路へ滑動させるオーバーフローコイン用傾斜流路と、
を設け、
前記案内傾斜流路の一側に段差部を形成して設けられ、案内傾斜流路側に下り傾斜した第１傾斜流路及び第２傾斜流路を隣設し、
前記第１傾斜流路は、前記補給流路により起立した状態で補給されたコインが転動し、
前記第２傾斜流路は、両側を区画壁で区画形成し、前記島本体における遊技機設置空部の下部を塞ぐ下パネル側の区画壁に前記コイン投入部傾斜流路部材を挿入するための開口を形成して、外部から投入されたコインが前記第１傾斜流路を転動するコインに干渉することなく流下方向を変えて流下するようにしたことを特徴とする遊技機用ユニット島。
【発明の詳細な説明】
【０００１】
【発明の属する技術分野】
本発明は、遊技用のコインを投入して遊技を行なうパチスロ遊技機などの遊技機を並べて複数設置するとともに、これらの遊技機にコインを補給する機構や回収する機構を備えて一体化した遊技機用ユニット島に関する。
【０００２】
【従来の技術】
コインを投入して遊技を行なう代表的な遊技機であるパチスロ遊技機（スロット機）を複数並べて設置したスロット島を例に挙げて説明すると、従来のスロット島には、スロット機へのコイン補給やオーバーフローしたコインの回収を自動的に行なう機構を備えたものがあるが、この様なスロット島では、島自体が長尺であるために島の端部にコイン貯留部を設け、このコイン貯留部を起点として、また終点として島の上下に複数のベルトコンベアを設ける構成を採る。
【０００３】
【発明が解決しようとする課題】
しかしながら、島の端部にコイン貯留部を設け、ここを起点と終点として複数のベルトコンベアを設置することによりコインの島循環機構を構成するのでは、島の長さに応じて店内で組み付け作業を行ならなければならないので、設置作業が繁雑となって多大な労力を要する。また、ベルトコンベアの設置を短時間で行なうことはできないので遊技店の休日が長くなり、営業上好ましくない。
【０００４】
本発明は上記した事情に鑑みなされたもので、その目的は、ベルトコンベア等の搬送機構を遊技店で組み付ける作業を行なうことなく容易に設置でき、コインを島内で循環させて補給、回収でき、構成が簡単な遊技機用ユニット島を提供しようとするものである。
【０００５】
【課題を解決するための手段】
本発明は上記目的を達成するために提案されたもので、請求項１に記載のものは、複数のパチスロ遊技機を遊技機設置空部に並べて取り付ける島本体と、これらのパチスロ遊技機にコインを供給するコイン循環機構とを一体に備えた遊技機用ユニット島であって、
前記コイン循環機構は、
パチスロ遊技機に補給するコインを貯留するコイン貯留タンクと、
該コイン貯留タンクから供給されたコインを揚送するコイン揚送装置と、
該コイン揚送装置により揚送されるコインを前記島本体の上部に案内する揚送レールと、
該揚送レールの上端部からパチスロ遊技機の並び方向に沿って下り傾斜した状態で前記島本体の上部に架設され、パチスロ遊技機に対応してコイン導入ゲートを設けた搬送レールと、
該搬送レールの傾斜下端から下方に向けて設けられ、コインをオーバーフローさせるオーバーフロー流路と、
該オーバーフロー流路からのコインを受け入れて貯留するサブコイン貯留部と、
該サブコイン貯留部から補給流路を介して前記コイン貯留タンクにコインを補給する補給ホッパーと、
から構成し、
前記島本体には、外部に引き出してコインを投入するためのコイン投入部傾斜流路部材を設け、
前記コイン貯留タンクは、
前記コイン揚送装置の貯留部に連通するコイン出口に向かって下り傾斜する案内傾斜流路と、
該案内傾斜流路の傾斜上端に傾斜下端を接続させて、パチスロ遊技機からオーバーフローしたコインを案内傾斜流路へ滑動させるオーバーフローコイン用傾斜流路と、
を設け、
前記案内傾斜流路の一側に段差部を形成して設けられ、案内傾斜流路側に下り傾斜した第１傾斜流路及び第２傾斜流路を隣設し、
前記第１傾斜流路は、前記補給流路により起立した状態で補給されたコインが転動し、
前記第２傾斜流路は、両側を区画壁で区画形成し、前記島本体における遊技機設置空部の下部を塞ぐ下パネル側の区画壁に前記コイン投入部傾斜流路部材を挿入するための開口を形成して、外部から投入されたコインが前記第１傾斜流路を転動するコインに干渉することなく流下方向を変えて流下するようにしたことを特徴とする遊技機用ユニット島である。
【０００６】
【発明の実施の形態】
以下、本発明の実施の形態を図面に基づいて説明する。
図１はパチスロ遊技機（以下、単にパチスロ機１という。）を取り付けた状態の遊技機用ユニット島２（以下、単にユニット島２という。）の正面図、図２はパチスロ機１を設置していない状態のユニット島２の概略正面図である。
【０００７】
本実施形態におけるユニット島２は、島本体３に、パチスロ機１を両側に２台ずつ背中合わせにした状態で合計４台設置したいわゆる両面島であり、島本体３の内部にコイン循環機構４を設けてユニット化されている。
【０００８】
島本体３は、アルミニウムや鉄等の金属製長尺型材を略長方体に組んでフレーム５を構成し、このフレーム５に高さの中央よりも下方に板状の台載置部材６を水平方向に架設するとともに、該台載置部材６の上方に台上部止着部材７を水平方向に架設することにより片面左右２台分の遊技機設置空部９を形成し、該遊技機設置空部９の左右中央部分には台間コイン貸機１０を設置可能とし、遊技機設置空部９よりも上部、及び下部の前後面にパネル１１，１２を張って塞いである。なお、この島本体３の側面は、図１に示すように、閉塞板材１３を張って塞いでも良いし、開放した状態で、フレームの側面に設けたジョイント部（図示せず）により、パチスロ機１を背中合わせに２台設置可能なサブフレームを接続してもよいし、あるいは後述するように、隣接して設置した隣りのユニット島２と遊技店内で接続してもよい。また、この島本体３の最下部には、遊技店の床に敷設した設置レール上にアンカー部材で固定できるように構成する。
【０００９】
コイン循環機構４は、補給用のコインを貯留するコイン貯留タンク１４と、該コイン貯留タンク１４から供給されるコインを揚送するコイン揚送装置（揚送ホッパー）１５と、コイン揚送装置１５により揚送されるコインを整列した状態で島本体３の上部に案内する揚送レール１６と、揚送レール１６の上端部からパチスロ機１の並び方向に沿って下り傾斜した状態で上記島本体３の上部に架設された搬送レール１７と、この搬送レール１７に、パチスロ機１及びコイン貸機１０に対応して設けられた出口のコイン導入ゲート（流路切換機構）２０と、上記搬送レール１７内を自重により転動しながら搬送されるコインを検出可能な揚送用計数センサ２１と、搬送レール１７の傾斜下端から下方に向けて設けられ、いずれのコイン導入ゲート２０も通過したコインを上記コイン貯留タンク１４側にオーバーフローさせるオーバーフロー流路２２と、オーバーフロー流路２２からのコインを受け入れて貯留するサブコイン貯留部２３と、該サブコイン貯留部２３から上記コイン貯留タンク１４にコインを補給する補給ホッパー２４と、から概略構成され、これらを順次通過する経路がコインの循環経路となる。また、上記コイン揚送装置１５及びコイン導入ゲート２０を始めとする各機器は、制御装置２５の制御の下で作動する。
【００１０】
したがって、コイン揚送装置１５が作動してコイン貯留タンク１４から供給されたコインを揚送レール１６を介して揚送すると、揚送用計数センサ２１がコインを１枚ずつ検出し、この計数センサからの信号に基づいて揚送コイン数を制御する。そして、揚送されたコインは、搬送レール１７内を一列に立った状態で転動し、制御装置２５からの信号により開いたコイン導入ゲート２０で取り込まれてパチスロ機１のコインタンクに所定数だけ補給される。なお、コイン研磨のためなどでいずれのコイン導入ゲート２０にも取り込まれることなく通過したコインは、搬送レール１７の傾斜下端からオーバーフロー流路２２を流下してサブコイン貯留部２３内に受け入れられて貯留され、コイン貯留タンク１４内のコイン貯留量が不足すると、補給ホッパー２４が作動して、サブコイン貯留部２３内のコインが補給流路を介してコイン貯留タンク１４内に補給される。
【００１１】
また、本実施形態では、図１中の左側正面及び背面のパチスロ機１からオーバーフローしたコインもコイン貯留タンク１４内に流下して貯留され、図１中右側正面及び背面のパチスロ機１からオーバーフローしたコインはサブコイン貯留部２３内に流下して貯留される構成である。
【００１２】
コイン貯留タンク１４は、図３から図５に示すように、区画壁３０により内部を区画するとともに区画した領域毎に底面を傾斜させることによりそれぞれの流路や貯留部を形成した箱状部材であり、本実施形態では、図４に示すように、コイン揚送装置１５の貯留部３１に連通可能な位置の底面にコイン出口３２として機能する開口部を開設し、このコイン出口３２の後方に、該コイン出口３２に向かって底面３３を下り傾斜させるとともに傾斜下端にコイン出口３２との間に段差部３４を形成したコイン貯留部３５を形成し、このコイン貯留部３５に３つの流路、即ち、循環コイン用傾斜流路３６（本発明の第１傾斜流路に相当）とオーバーフローコイン用傾斜流路３７と外部コイン用傾斜流路３８（本発明の第２傾斜流路に相当）を連接して形成してある。
【００１３】
なお、図３に示すように、本実施形態では、コイン貯留部３５の天井面にオーバーフローコイン受入部３９を開口し、この上方に設置したパチスロ機１からオーバーフローしたコインを直接コイン貯留部３５内に流下するように構成してある。また、コイン貯留部３５、及び各傾斜流路３６，３７，３８の各底面には、コインの直径よりも小さな孔４０を複数開設したパンチングボードを使用し、小孔４０からゴミ等が落下するように構成することが望ましい。
【００１４】
そして、前記したコイン貯留部３５は、循環コイン用傾斜流路３６、オーバーフローコイン用傾斜流路３７、及び外部コイン用傾斜流路３８の各傾斜流路の底面傾斜端部よりも一段低い位置に形成する。この様に、コイン貯留部３５を一段低い位置に設けると、その段差の分だけは確実にコインを積み重ねた状態で貯留することができ、この積み重なったコインは、コイン揚送装置１５が作動することで、案内傾斜流路として機能する底面３３により、コインの自重で確実にコイン揚送装置１５に供給される。
【００１５】
また、下り傾斜して案内傾斜流路として機能する底面３３の長手方向ほぼ中央の上方であって前記循環コイン用傾斜流路３６及びオーバーフローコイン用傾斜流路３７の下端部よりも低い位置に、内部にコインが充分に貯留されていることを検出する貯留検出手段（揚送タンク用センサ）４１を設ける。
【００１６】
この貯留検出手段４１は、コインの貯留を検出する機能を備えていればどのような構成でもよいが、本実施形態では、導電性を有するクランク形状の接触子４２をコインの直径よりも少し広い間隔で離隔した状態で区画壁３０から突出させ、接触子４２の下端を底面よりも少し上方であって前記循環コイン用傾斜流路３６及びオーバーフローコイン用傾斜流路３７の下端部よりも低い位置に位置させる。したがって、両接触子４２の下端の位置を適宜調整することにより、コイン満杯信号を発信する量を設定することができる。
【００１７】
図５に示すように、両接触子４２の下端にコインが接触して、両接触子４２がコインを介して導通すると充分な貯留量である旨の信号（例えば、「Ｈ」信号）を制御装置２５に送出し、コインが最大貯留量になる以前に、貯留が充分に貯留されていることが確認できる。したがって、余分にホッパーを作動してコインが溢れたり詰まったりする不都合を未然に防止できる。
【００１８】
次に、前記した各傾斜流路を具体的に説明する。
まず、循環コイン用傾斜流路３６は、前記コイン循環機構４の循環経路を循環して戻ったコインをコイン貯留部３５に流下案内する流路であり、コイン貯留部３５の底面３３の一側であって該底面３３の傾斜上半部分に、底面４３をコイン貯留部３５側に下り傾斜させるとともに両側を区画壁３０で区画した状態で形成し、傾斜下端にはコイン貯留部３５との間に区画壁３０による段差部４４を形成し、コイン貯留タンク１４の中央部分となる傾斜上端の天井面には循環コイン受入部４５を開口し、この循環コイン受入部４５に対して上方から補給ホッパー２４からの補給流路４６を臨ませる。
【００１９】
したがって、補給ホッパー２４を作動すると、サブコイン貯留部２３から供給されたコインが補給流路４６を介して循環コイン受入部４５から循環コイン用傾斜流路３６の底面４３傾斜上部に落下し、これらのコインが底面４３の傾斜にしたがって滑動してコイン貯留部３５内に流下する。そして、循環コイン用傾斜流路３６は、両側が区画壁３０により区画されているので、補給流路４６から排出されたコインは、他の流路からのコインと干渉することなく円滑に流下してコイン貯留部３５に到達する。
【００２０】
また、循環コイン受入部４５がコイン貯留タンク１４の中央部分に配設され、しかも補給流路４６はコインを立てた状態で搬送するので、補給流路４６を狭く構成することができ、パチスロ機１背面の狭くて限られたスペースに補給流路４６を設置できる。また、コインが起立した状態で補給されるので、このコインが傾斜流路３６内を勢い良く転動しながら流下し、途中で滞留することなくコイン貯留部３５内に確実に到達する。
【００２１】
外部コイン用傾斜流路３８は、島２内のコインの量が不足したときなどに外部から投入したコインを受け入れてコイン貯留タンク１４に流下案内する流路であり、コイン貯留部３５の底面３３の一側であって該底面３３の傾斜下半部分からコイン出口３２に亘る範囲に、循環コイン用傾斜流路３６の底面４３よりも低い位置において底面４７をコイン貯留部３５側に下り傾斜させるとともに両側を区画壁３０で区画した状態で形成し、傾斜下端にはコイン貯留部３５及びコイン出口３２との間に区画壁３０による段差部４９を形成し、島２の下パネル１２側に位置する区画壁３０に外部コイン受入部５０を開口する。
【００２２】
そして、外部コイン受入部５０内には、図６に示すように、引き出し状のコイン投入部傾斜流路部材５１を挿入し、外部からコインを投入する場合には、図７及び図８に示すように、コイン投入部傾斜流路部材５１を長手方向途中まで引き出し、コイン投入口でもある外部コイン受入部５０を開き、島２の外部に突出したコイン投入部傾斜流路部材５１の手前の部分からコインを投入する。この様にして投入されたコインは、外部コイン用傾斜流路３８側に向って下り傾斜したコイン投入部傾斜流路部材５１の底面上を流下してから外部コイン用傾斜流路３８の底面４７上に落下し、この底面４７上で流下方向を変えながら底面４７の傾斜にしたがって滑動し、コイン貯留部３５内に流下し、或は直接コイン出口３２からコイン揚送装置１５のコイン貯留部３５内に流下する。
【００２３】
そして、外部コイン用傾斜流路３８は、循環コイン用傾斜流路３６と隣り合わせに形成されていても、両側が区画壁３０により区画されているので、外部から投入されたコインは、他の流路からのコインと干渉することなく円滑に流下してコイン貯留部３５あるいはコイン出口３２に到達する。
【００２４】
オーバーフローコイン用傾斜流路３７は、パチスロ機１からオーバーフローしたコインを受け入れてコイン貯留部３５に流下案内する流路であり、コイン貯留部３５の傾斜上端を区画している区画壁３０に接続口５２を開設し、この接続口５２に底面５３の傾斜下端が接続するとともに該底面５３が接続口５２に向って下り傾斜するようにして両側を区画壁３０で区画して略Ｌ字状に形成され、途中の屈曲部分においては下流側が低い段差部５４を形成し、この段差部５４の上流側の底面５３の傾斜上端に対応する天井面にオーバーフローコイン受入部５５を開口してある。
【００２５】
したがって、パチスロ機１からオーバーフローしたコインは、オーバーフローコイン受入部５５からオーバーフローコイン用傾斜流路３７内に落下し、底面５３の傾斜によって滑動し、接続口５２を通過してコイン貯留部３５内に流下する。
そして、オーバーフローコイン用傾斜流路３７は、両側が区画壁３０により区画されているので、また、途中で流下方向をほぼ直角に変更する部分には段差部５４が形成してあるので、他の流路からのコインと干渉することなく円滑に流下してコイン貯留部３５に到達する。
【００２６】
この様に、本実施形態におけるコイン貯留タンク１４は、各傾斜流路３６，３７，３８から回収されるコインが他の流路からのコインと干渉することなくそれぞれ独立した状態で流下するので、途中で邪魔し合って滞留したりする不都合を解消でき、また、異なる位置からコイン貯留部３５内に集積されるので、コインの溜り方に偏りが生じたりる不都合を解消することができる。したがって、コイン貯留タンク１４内で貯留したコインをコイン出口３２からコイン揚送装置１５の貯留部３１に過不足無く円滑に供給することができる。このため、コイン揚送装置１５の貯留部３１内には、コイン貯留タンク１４内に適量のコインが貯留されている限り常にコインが貯留されるが、万一、不足した場合を考慮して、コインの貯留状態を検出するコイン検出手段５６を設ける。
【００２７】
次に、コイン揚送装置１５のコイン検出手段５６について説明する。
コイン貯留タンク１４には、前記したように、下パネル１２側の底面にコイン出口３２用の開口部を開設し、この開口部の下方にコイン揚送装置１５の貯留部３１を着脱可能に接合するが、この開口部近傍のパネル１２側の区画壁３０にコイン取出口５７を開設し、該コイン取出口５７に、蓋部材５９を取り外し可能に取り付け、該蓋部材５９に、下方に接続されるコイン揚送装置１５の貯留部３１内に挿入されて該貯留部３１内のコイン貯留状態を検出するコイン検出手段５６を設ける。
【００２８】
コイン取出口５７は、コイン揚送装置１５を取り外す際に、コイン貯留タンク１４のコイン出口３２近傍に貯留されたコインを外部に取り出すための開口部であり、作業者の手が容易に入る大きさに開口する。
【００２９】
蓋部材５９に設けるコイン検出手段５６は、本実施形態では、コイン貯留部３５に設けた貯留検出手段４１と同様であり、導電性を有するクランク形状の接触子６０をコインの直径よりも少し広い間隔で離隔した状態で蓋部材５９の内面から突出させ、蓋部材５９をコイン取出口５７に取り付けた状態で、接触子６０の下端をコイン揚送装置１５の貯留部３１の内部に位置するように設定する。
【００３０】
この様な構成からなるコイン検出手段５６においては、貯留部３１内に適量のコインが貯留されている場合には、両接触子６０にコインが接触して導通するので、必要充分な貯留量である旨の信号（例えば、「Ｈ」信号）を制御装置２５に送出することができる。一方、万一貯留部３１内のコインの量が必要量よりも減少すると、両接触子６０の導通が絶たれるので、これにより貯留量が不足である旨の信号（例えば、「Ｌ」信号）を制御装置２５に送出することができる。そして、この様にコイン揚送装置１５の貯留部３１内のコイン量が不足すると、制御装置２５がコイン不足信号を受信したことに基づいて補給ホッパー２４を作動し、補給流路４６の途中に設けた補給ホッパー用センサ６１で１枚ずつ検出しながらサブコイン貯留部２３内のコインをコイン貯留部３５へと補給する。したがって、揚送するコインが不足する不都合を未然に防止することができる。なお、サブコイン貯留部２３内のコインも不足して、この不足状態を補給タンク用センサ６２で検出して、補給するコインがなくなったことを制御装置２５が認識した場合には、ランプやブザー等の報知手段により係員にコイン不足を報知し、これによりコイン不足を認識した作業者が、前記したコイン投入部傾斜流路部材５１を引き出して、外部からコインを充填する。なお、この報知については後述する。
【００３１】
ところで、コイン揚送装置１５はメンテナンスや修理を行なう場合には、島２内が狭いので、取り外して作業を行なう。この様な時に、コイン揚送装置１５の貯留部３１からコイン貯留タンク１４のコイン出口３２に亘ってコインが詰まっていると、コイン揚送装置１５の貯留部３１をコイン出口３２から外した時にコインが散乱してしまう。そこで、コイン揚送装置１５を取り外す前に、蓋部材５９を外してコイン取出口５７を開放し、このコイン取出口５７から内部のコインを手で取り除き、その後にコイン揚送装置１５を横方向にスライドさせて取り外す。
【００３２】
前記実施形態では、片面２台ずつ合計４台のパチスロ機１を設置した遊技機用ユニット島２について説明したが、本発明はこれに限定されるものではない。例えば、図９及び図１０に示す遊技機用ユニット島２は、片面に２台のパチスロ機１を設置する島本体３に片面１台のパチスロ機１を設置するサブフレーム６３を接続し、合計３台のパチスロ機１を片面に設置する遊技機用ユニット島２である。この遊技機用ユニット島２においては、島本体３内にコイン揚送装置１５を配置し、サブフレーム側にオーバーフロー流路２２及び補給ホッパー２４を配置し、該補給ホッパー２４とコイン貯留タンク１４との間に補給流路４６で接続し、搬送レール１７を島本体３及びサブフレーム６３の上部に一連に架設してある。なお、その他の構成は前記実施形態と同様であるので、説明を省略する。
【００３３】
この実施形態におけるコイン貯留タンク１４は、図１１に示すように、内部を区画壁３０で区画し、各傾斜流路とコイン貯留部３５の底面３３との間に段差部を形成するなど基本的構成は前記実施形態と同様であるが、オーバーフローコイン用流路３７′の配置が異なる。すなわち、図１１に示すように、コイン貯留部３５の底面３３の傾斜上端近傍に循環コイン用傾斜流路３６を形成し、この循環コイン用傾斜流路３６の隣りに一段低くして外部コイン用傾斜流路３８を形成してコイン貯留部３５の底面３３の傾斜途中に合流させ、この外部コイン用傾斜流路３８の隣りに一段低くしてオーバーフローコイン用傾斜流路３７′を形成するとともに底面５３′の傾斜上端の天井面にオーバーフローコイン受入部５５′を開口する。そして、オーバーフローコイン用傾斜流路３７′の傾斜上端の区画壁３０に接続口６４を開口し、この接続口６４からオーバーフローコイン用傾斜流路３７″を延設するとともに該傾斜流路３７″の傾斜上端の天井面にオーバーフローコイン受入部（図示せず）を開口し、島本体３の左右に設置したパチスロ機１からのオーバーフローコインを受け入れられるように構成する。なお、サブフレーム６３に設置したパチスロ機１からオーバーフローしたコインは、補給ホッパー２４のサブコイン貯留部２３内に流下するように構成する。
【００３４】
また、図１２に示す他の実施形態は、第１の実施形態で説明した４台設置タイプの島本体３を複数接続して一群の島２′としたものであり、接続する島本体３の数を適宜調整することにより所望する長さ、例えば従来の島設備と同様の遊技機台数を設置する島を構築することができる。この島２′では一端上部に、当該島群におけるトラブル情報を可視表示する警報器６５を設けてある。
【００３５】
この警報器６５は、いわゆる代表灯とも呼ばれて、赤、緑、黄色の異なる色彩のランプ表示器を点灯または点滅することにより複数種類の情報を報知することができる。この様に、複数の遊技機用ユニット島２を接続した場合には、図１３に示すように、制御装置２５（制御回路）に他のユニット島２の制御装置２５との接続部６６を設け、この接続部６６を介して一群の遊技機用ユニット島２′の各制御装置２５を接続する。そして、いずれか１つのユニット島２（島本体３）内でコイン不足等が発生した場合には、当該ユニット島２内の制御装置２５からの出力により当該遊技機用ユニット島２の上部に設けたユニット島情報報知器６７のランプ等を点灯或は点滅してその旨を報知するとともに、当該制御装置２５からの警報信号を途中の制御装置２５が順次受渡し、警報器６５を設けてある遊技機用ユニット島２の制御装置２５に伝え、この制御装置２５からの出力により警報器６５を点灯あるいは点滅して報知する。
【００３６】
ところで、今回開示した実施の形態はすべての点で例示であって制限的なものではないと考えるべきである。本発明の範囲は、前記した説明ではなくて特許請求の範囲によって示され、特許請求の範囲と均等の意味および範囲内でのすべての変更が含まれることが意図される。
例えば、遊技機は、コインを投入して遊技を行なうものであればパチスロ機に限定されるものではない。
また、コイン貯留タンクは、天井面を設けたものに限定されるものではなく、上面を開放しておいてもよい。開放したままであると、手業者の手が入り易いので、メンテナンス作業を容易に行なうことができる。
【００３７】
【発明の効果】
以上説明したように本発明によれば、以下の効果を奏する。
すなわち、ユニット島内に、コイン循環機構の循環経路を循環して戻ったコインと、遊技機からオーバーフローしたコインと、島の外部から投入されるコインとを受け入れられるコイン貯留タンクを備えるので、コイン回収用のベルトコンベア等を設置する必要がなく、ユニット島自体の構造の簡素化を図ることができ、また、ユニット島の組み付け作業の容易化を図ることができ、コスト削減に寄与できる。
そして、コイン貯留タンクは、コイン揚送装置の貯留部に連通するコイン出口に向かって下り傾斜する案内傾斜流路と、該案内傾斜流路の傾斜上端に傾斜下端を接続させて、パチスロ遊技機からオーバーフローしたコインを案内傾斜流路へ滑動させるオーバーフローコイン用傾斜流路とを設け、案内傾斜流路の一側に段差部を形成して設けられ、案内傾斜流路側に下り傾斜した第１傾斜流路及び第２傾斜流路を隣設し、第１傾斜流路は、補給流路により起立した状態で補給されたコインが転動し、第２傾斜流路は、両側を区画壁で区画形成し、島本体における遊技機設置空部の下部を塞ぐ下パネル側の区画壁にコイン投入部傾斜流路部材を挿入するための開口を形成して、外部から投入されたコインが第１傾斜流路を転動するコインに干渉することなく流下方向を変えて流下するようにしたので、外部から投入されたコインを円滑に流下させてコイン出口に到達させることができる。
【図面の簡単な説明】
【図１】
遊技機用ユニット島の正面図である。
【図２】
図１に示すユニット島のコイン循環機構の正面図である。
【図３】
コイン貯留タンクの斜視図である。
【図４】
コイン貯留タンクの内部構成を説明する一部欠截斜視図である。
【図５】
コイン貯留部内にコインが溜った状態におけるコイン貯留タンクの一部欠截斜視図である。
【図６】
コイン投入部傾斜流路部材を押し入れた状態におけるコイン貯留タンク内の平面図である。
【図７】
コイン投入部傾斜流路部材を引き出した状態におけるコイン貯留タンク内の平面図である。
【図８】
コイン投入部傾斜流路部材を引き出した状態における斜視図である。
【図９】
サブフレームを接続したユニット島のコイン循環機構の正面図である。
【図１０】
図９に示すユニット島の内部構成を示す平面図である。
【図１１】
図９に示すユニット島内に設置するコイン貯留タンクの内部構成を説明する一部欠截斜視図である。
【図１２】
複数のユニット島を接続した一群の島の正面図である。
【図１３】
制御装置の概略接続状態を示すブロック図である。
【符号の説明】
１  パチスロ機
２  遊技機用ユニット島
３  島本体
４  コイン循環機構
５  フレーム
６  台載置部材
７  台上部止着部材
９  遊技機設置空間
１０  コイン貸機
１１，１２  パネル
１３  閉塞板材
１４  コイン貯留タンク
１５  コイン揚送装置
１６  揚送レール
１７  搬送レール
２０  コイン導入ゲート
２１  揚送用計数センサ
２２  オーバーフロー流路
２３  サブコイン貯留部
２４  補給ホッパー
２５  制御装置
３０  区画壁
３１  補給ホッパーの貯留部
３２  コイン出口（開口部）
３３  コイン貯留部の底面
３４  段差部
３５  コイン貯留部
３６  循環コイン用傾斜流路
３７  オーバーフローコイン用傾斜流路
３８  外部コイン用傾斜流路
３９  オーバーフローコイン受入部
４０  孔
４１  貯留検出手段
４２  接触子
４３  循環コイン用傾斜流路の底面
４４  段差部
４５  循環コイン受入部
４６  補給流路
４７  外部コイン用傾斜流路の底面
４９  段差部
５０  外部コイン受入部
５１  コイン投入部傾斜流路部材
５２  接続口
５３  オーバーフローコイン用傾斜流路の底面
５４  段差部
５５  オーバーフローコイン受入部
５６  コイン検出手段
５７  コイン取出口
５９  蓋部材
６０  接触子
６１  補給ホッパー用センサ
６２  補給タンク用センサ
６３  サブフレーム
６４  接続口
６５  警報器
６６  接続部
６７  ユニット島情報報知器